(57)【要約】【課題】移動局と基地局間でのデータ再送によって生じる送信遅延時間を低減することを目的とする。【解決手段】移動局から基地局にデータ送信を要求する信号を送信し、データ送信を要求する信号を受信すると、基地局から移動局にデータ送信を指示する信号を送信し、データ送信を指示する信号を受信すると、移動局から基地局に送信すべきデータを送信し、送信されたデータを再送すべきことを示す信号が送信され再送用のスケジューリング指示情報が送信されない場合、データの送信に用いた変調方式と同じ変調方式を用いて移動局から基地局にデータを再送する。【選択図】図５
2010193503.tif 000002
【特許請求の範囲】
【請求項１】
移動局から基地局に送信すべきデータがある場合に、移動局から基地局にデータ送信を要求する信号を送信する要求ステップと、
前記データ送信を要求する信号を受信すると、基地局から移動局にデータ送信を指示する信号を送信する指示ステップと、
前記データ送信を指示する信号を受信すると、移動局から基地局に前記送信すべきデータを送信するデータ送信ステップと、
前記送信されたデータを再送すべきか否かを示す信号を基地局から移動局に送信する再送指示ステップとを含み、
変調方式が可変な通信方法であって、
前記再送指示ステップにおいて再送すべきことを示す信号が送信され再送用のスケジューリング指示情報が送信されない場合、前記データの送信に用いた変調方式と同じ変調方式を用いて移動局から基地局に前記データを再送することを特徴とする通信方法。
【発明の詳細な説明】
【技術分野】
【０００１】
この発明は、ＣＤＭＡ（Ｃｏｄｅ  Ｄｉｖｉｓｉｏｎ  Ｍｕｌｔｉｐｌｅ  Ａｃｃｅｓｓ：符号分割多重通信）の移動体通信システム上で、パケットデータを通信する移動局、基地局、通信システム、および通信方法に関するものである。
【背景技術】
【０００２】
ＣＤＭＡ方式を採用した高速な移動体通信方式として、第３世代と呼ばれる通信規格が国際電気連合（ＩＴＵ）によりＩＭＴ−２０００として採用されている。Ｗ−ＣＤＭＡ（ＦＤＤ：Ｆｒｅｑｕｅｎｃｙ  Ｄｉｖｉｓｉｏｎ  Ｄｕｐｌｅｘ）は、２００１年に日本で商用サービスが開始されている。Ｗ−ＣＤＭＡ（ＦＤＤ）方式は、第３世代の移動体通信方式であり、移動局あたり最大２Ｍｂｐｓ程度の通信速度を得ることを目的としている。Ｗ−ＣＤＭＡ（ＦＤＤ）方式については、規格化団体３ＧＰＰ（３ｒｄ．  Ｇｅｎｅｒａｔｉｏｎ  Ｐａｒｔｎｅｒｓｈｉｐ  Ｐｒｏｊｅｃｔ）が１９９９年にまとめたリリ−ス１９９９版において最初の仕様が決定されている。
なお、各種規格書は、インターネット＜ＵＲＬ：ｈｔｔｐ：／／ｗｗｗ．３ｇｐｐ．ｏｒｇ／ｆｔｐ／Ｓｐｅｃｓ／ａｒｃｈｉｖｅ／＞において公開されている。
上記の仕様に基づいて、上りリンクにおける性能向上／機能拡張に関するオンデマインドのチャネル割り当て方式が以下の非特許文献１で提案されている。
【先行技術文献】
【非特許文献】
【０００３】
【非特許文献１】“ＡＨ６４：Ｒｅｄｕｃｉｎｇ  ｃｏｎｔｒｏｌ  ｃｈａｎｎｅｌ  ｏｖｅｒｈｅａｄ  ｆｏｒ  Ｅｎｈａｎｃｅｄ  Ｕｐｌｉｎｋ”、［ｏｎｌｉｎｅ］、Ｊａｎｕａｒｙ，  ７ｔｈ−１１ｔｈ，  ２００３、３ＧＰＰＲＡＮ１＃３０、［２００３年５月１５日検索］、インターネット＜ＵＲＬ：ｈｔｔｐ：／／ｗｗｗ．３ｇｐｐ．ｏｒｇ／ｆｔｐ／ｔｓｇ＿ｒａｎ／ＷＧ１＿ＲＬ１／ＴＳＧＲ１＿３０／Ｄｏｃｓ／Ｚｉｐｓ／Ｒ１−０３００６７．ｚｉｐ＞
【発明の概要】
【発明が解決しようとする課題】
【０００４】
上記文献のＦｉｇ．１には、送信すべきパケットを持つ移動局（ＵＥ：Ｕｓｅｒ  Ｅｑｕｉｐｍｅｎｔ）が送信要求用チャネル（ＵＳＩＣＣＨ：Ｕｐｌｉｎｋ  Ｓｃｈｅｄｕｌｉｎｇ  Ｉｎｆｏｒｍａｔｉｏｎ  Ｃｏｎｔｒｏｌ  Ｃｈａｎｎｅｌ）によってパケットデータ送信要求を基地局（Ｎｏｄｅ−Ｂ）に送信し、この要求を受けて基地局は移動局へ送信タイミング割当て等のスケジューリング結果を下りリンクの割当て用チャネル（ＤＳＡＣＣＨ：Ｄｏｗｎｌｉｎｌｋ  Ｓｃｈｅｄｕｌｉｎｇ  Ａｓｓｉｇｎｍｅｎｔ  Ｃｏｎｔｒｏｌ  Ｃｈａｎｎｅｌ）で指示し、この指示に従って移動局はデータ送信用チャネル（ＥＵＤＣＨ：Ｅｎｈａｎｃｅｄ  Ｕｐｌｉｎｋ  Ｄｅｄｉｃａｔｅｄ  Ｔｒａｎｓｐｏｒｔ  Ｃｈａｎｎｅｌ）にデータを乗せて基地局へ送信する技術が記載されている。
また、パケットデータ送信時の変調方式等の情報は別途変調形式情報チャネル（ＵＴＣＣＨ：Ｕｐｌｉｎｋ  ＴＦＲＩ  Ｃｏｎｔｒｏｌ  Ｃａｎｎｎｅｌ）に乗せて送信される。また、基地局におけるパケットデータ受信判定結果（いわゆるＡＣＫ／ＮＡＣＫ）の情報は通知用チャネル（ＤＡＮＣＣＨ：Ｄｏｗｎｌｉｎｋ  Ａｃｋ／Ｎａｃｋ  Ｃｏｎｔｒｏｌ  Ｃｈａｎｎｅｌ）で移動局に通知される。
【０００５】
なお、ここで述べた各々のチャネルについては、従来の規格で使用されるチャネルの拡張、ないしは新規チャネルの導入を想定したものであり、その詳細は未提案である。
しかし、上記文献に開示された送信方法では、（送信要求→割当て→データ送信→判定通知）の送信処理サイクルにかかる時間が１０ｍｓ×４＝４０ｍｓと大きいため、基地局側で送信データが正しく受信されなかった場合、すなわち、いわゆるＮＡＣＫ判定が続いてパケットデータの再送回数が多くなった場合、送信遅延時間が大きくなり、遅延要求の厳しい音声やビデオ映像情報などでは通信品質が劣化するという問題がある。
この発明は、上記のような課題を解決するためになされたもので、移動局と基地局間でのデータ再送によって生じる送信遅延時間を低減することを目的とする。
【課題を解決するための手段】
【０００６】
この発明に係る移動局は、基地局に対してパケットデータの送信要求を通知し、基地局が送信要求に基づいて決定した送信スケジュール情報に従って、基地局にパケットデータの送信を行なう移動局において、送信要求およびパケットデータを基地局へ送信する送信部と、基地局から送信スケジュール情報および送信部により送信されたパケットデータの受信判定結果を受信する受信部と、受信判定結果の受信を完了する前に、新たなパケットデータについての送信要求を送信するように、送信部を制御する制御部とを備えたものである。
この発明に係る基地局は、移動局からパケットデータの送信要求を受信し、送信要求に基づいて決定した送信スケジュール情報を移動局に通知し、移動局から送信スケジュール情報に従って送信されたパケットデータを受信する基地局において、移動局から送信要求および送信要求に対応して送信されたパケットデータを受信する受信部と、送信スケジュール情報に従って送信されたパケットデータの受信判定結果が受信失敗である場合には、受信部が受信した新たなパケットデータについての送信要求より、受信を失敗したパケットデータの再送信に優先的に送信スケジュールを割り当て、送信スケジュール情報を作成するスケジューリング部と、スケジューリング部が作成した送信スケジュール情報および受信判定結果を、移動局へ送信する送信部とを備えたものである。
この発明に係る通信システムは、移動局が基地局に対してパケットデータの送信要求を通知し、基地局が送信要求に基づいて決定した送信スケジュール情報に従って、移動局が基地局にパケットデータを送信し、基地局が、受信したパケットデータに対する受信判定結果を移動局へ送信する通信システムにおいて、移動局は、送信したパケットデータに対する基地局からの受信判定結果を受信完了する前に、次に送信する新たなパケットデータについての送信要求情報を送信するものである。
【発明の効果】
【０００７】
このことによって、次に送信するパケットデータの送信要求を効率よく基地局に通知することができるので、パケットデータの再送により発生する遅延時間を短縮することができる。
このことによって、次に送信するパケットデータの送信要求を効率よく基地局に通知することができるので、パケットデータの再送により発生する遅延時間を短縮することができる。
このことによって、移動局は次に送信するパケットデータの送信要求を効率よく基地局に通知することができるので、パケットデータの再送により発生する遅延時間を短縮することができる。
【図面の簡単な説明】
【０００８】
【図１】この発明の実施の形態１による通信システムの構成を示す概略図である。
【図２】この発明の実施の形態１による移動局の構成を示すブロック図である。
【図３】この発明の実施の形態１による基地局の構成を示すブロック図である。
【図４】移動局と基地局の間のデータ送受信手順を示すシーケンス図である。
【図５】この発明の実施の形態１による、移動局と基地局のデータ送受信処理のフローチャートである。
【図６】この発明の実施の形態１による、移動局と基地局の間のデータ送受信処理のタイミングチャートである。
【図７】この発明の実施の形態１による、移動局と基地局の間のデータ送受信処理のタイミングチャートである。
【図８】この発明の実施の形態２による移動局の構成を示すブロック図である。
【図９】この発明の実施の形態２による基地局の構成を示すブロック図である。
【図１０】この発明の実施の形態２による、移動局と基地局のデータ送受信処理のフローチャートである。
【図１１】この発明の実施の形態２による、移動局と基地局の間のデータ送受信処理のタイミングチャートである。
【図１２】この発明の実施の形態３による、移動局の送信データバッファの構成を示すブロック図である。
【図１３】この発明の実施の形態３による、移動局と基地局の間のデータ送受信処理のタイミングチャートである。
【図１４】この発明の実施の形態３による、移動局と基地局のデータ送受信処理のフローチャートである。
【図１５】この発明の実施の形態３の第１の変形例による、移動局と基地局の間のデータ送受信処理のタイミングチャートである。
【図１６】この発明の実施の形態３の第１の変形例による、チャネル多重方法を示す図である。
【図１７】この発明の実施の形態３の第２の変形例による、移動局と基地局の間のデータ送受信処理のタイミングチャートである。
【図１８】この発明の実施の形態３の第２の変形例による、チャネル多重方法を示す図である。
【図１９】この発明の実施の形態３の第３の変形例による、移動局と基地局の間のデータ送受信処理のタイミングチャートである。
【図２０】この発明の実施の形態３の第３の変形例による、チャネル多重方法を示す図である。
【図２１】この発明の実施の形態３の第４の変形例による、移動局と基地局の間のデータ送受信処理のタイミングチャートである。
【発明を実施するための形態】
【０００９】
以下、この発明をより詳細に説明するために、この発明を実施するための最良の形態について、添付の図面にしたがって説明する。
【００１０】
実施の形態１．
図１は、この発明の実施の形態１による通信システム１０１の構成を示す概略図である。
図に示すように、通信システム１０１は、移動局１０２、基地局１０３、基地局制御装置１０４を備えている。基地局１０３は一定範囲内にある複数の移動局１０２と通信を行う。この基地局１０３の通信範囲のことをセクタまたはセルという。なお、図中には移動局１０２は１つのみ示している。
基地局制御装置１０４は公衆電話網やインターネット等の外部ネットワーク１０５に接続され、基地局１０３と外部ネットワーク１０５の間のパケット通信を中継する。
移動局１０２と基地局１０３の間のデータ通信は複数のチャネルを用いて行われる。図に示すように、移動局１０２から基地局１０３への送信に用いられる上り通信チャネルには、ＵＳＩＣＣＨ１０６（Ｕｐｌｉｎｋ  Ｓｃｈｅｄｕｌｉｎｇ  Ｉｎｆｏｒｍａｔｉｏｎ  Ｃｏｎｔｒｏｌ  Ｃｈａｎｎｅｌ：送信要求用チャネル）、ＵＴＣＣＨ１０８（Ｕｐｌｉｎｋ  ＴＦＲＩ  Ｃｏｎｔｒｏｌ  Ｃｈａｎｎｅｌ：変調形式情報チャネル）、ＥＵＤＣＨ１０９（Ｅｎｈａｎｃｅｄ  Ｕｐｌｉｎｋ  Ｄｅｄｉｃａｔｅｄ  Ｔｒａｎｓｐｏｒｔ  Ｃｈａｎｎｅｌ：データ送信用チャネル）がある。また、基地局１０３から移動局１０２への送信に用いられる下り通信チャネルには、ＤＳＡＣＣＨ１０７（Ｄｏｗｎｌｉｎｌｋ  Ｓｃｈｅｄｕｌｉｎｇ  Ａｓｓｉｇｎｍｅｎｔ  Ｃｏｎｔｒｏｌ  Ｃｈａｎｎｅｌ：割当て用チャネル）、ＤＡＮＣＣＨ１１０（Ｄｏｗｎｌｉｎｋ  Ａｃｋ／Ｎａｃｋ  Ｃｏｎｔｒｏｌ  Ｃｈａｎｎｅｌ：通知用チャネル）がある。
【００１１】
なお、これらのチャネルは、従来の規格においては用いられていないチャネルであり、新規に設定される場合には、規格書ＴＳ２５．２１１の新たなリリースにおいて、従来規格との整合性（Ｂａｃｋｗａｒｄ  Ｃｏｍｐａｔｉｂｉｌｉｔｙ）を確保しながらそのフォーマットが追加規定される。
なお、Ｗ−ＣＤＭＡでは、移動局１０２はＵＥ（Ｕｓｅｒ  Ｅｑｕｉｐｍｅｎｔ）、基地局１０３はＮｏｄｅ−Ｂ、基地局制御装置１０４はＲＮＣ（Ｒａｄｉｏ  Ｎｅｔｗｏｒｋ  Ｃｏｎｔｒｏｌｌｅｒ）と呼ばれる。
【００１２】
図２は、本発明の実施の形態１による移動局１０２の構成を示すブロック図である。
図に示すように、移動局１０２は、上位処理部４０１（Ｕｐｐｅｒ  Ｌａｙｅｒ）、送信データバッファ（送信データ記憶部）４０２（ＴＸ  ｂｕｆｆｅｒ）、パケット送信制御部（制御部）４０３（Ｐａｃｋｅｔ  ＴＸ  Ｃｏｎｔｒｏｌ）、送信電力制御部４０６（Ｐｏｗｅｒ  Ｃｏｎｔｒｏｌ）、多重化部４０７（ＭＵＸ）、送信部４０８（ＴＸ）、アンテナ４０９、受信部４１０（ＲＸ）、分離部４１１（ＤＥＭＵＸ）を備えている。上位処理部４０１、送信データバッファ４０２、パケット送信制御部４０３、送信電力制御部４０６、多重化部４０７、送信部４０８、受信部４１０、および分離部４１１は、移動局１０２のプロセッサを構成する部分であり、該プロセッサを動作させるプログラムモジュールに従って便宜的に分けられている。
また、パケット送信制御部４０３は、要求制御部４２０およびデータ送信制御部４２１を備えており、データ送信制御部４２１はさらに、変調制御部４０４（ＴＦＲＩ  Ｃｏｎｔｒｏｌ）を有している。
【００１３】
上位処理部４０１は、ＴＣＰ／ＩＰ層などの上位プロトコル層の処理を行い、これらの処理は公知技術によるものである。
図３は、この発明の実施の形態１による基地局１０３の構成を示すブロック図である。
図に示すように、基地局１０３は、アンテナ５０１、受信部５０２（ＲＸ）、送信部５０３（ＴＸ）、分離部５０４（ＤＥＭＵＸ）、受信データバッファ５０５（ＲＸ  ｂｕｆｆｅｒ）、送信スケジューラ（スケジューリング部）５０６（Ｓｃｈｅｄｕｌｅｒ）、上位処理部５０７（Ｕｐｐｅｒ  ｌａｙｅｒ）、多重化部５０８（ＭＵＸ）を備えている。受信部５０２、送信部５０３、分離部５０４、受信データバッファ５０５、送信スケジューラ５０６、上位処理部５０７、および多重化部５０８は、基地局１０３のプロセッサを構成する部分であり、該プロセッサを動作させるプログラムモジュールに従って便宜的に分けられている。
【００１４】
また、送信スケジューラ５０６は、データ受信処理部５２０および再送制御部５２１を備えている。
上位処理部５０７は、ＴＣＰ／ＩＰ層などの上位プロトコル層の処理を行い、これらの処理は公知技術によるものである。
なお、基地局１０３の機能の一部については、基地局制御装置１０４に設けられる場合もある。
次に動作について説明する。
まず、移動局１０２と基地局１０３の間のデータ送受信で用いられる各チャネルの役割と、送受信手順の流れについて図４を用いて説明する。
移動局１０２において基地局１０３へ送信するパケットデータが発生すると、移動局１０２は送信データサイズ（Ｑｕｅｕｅ  Ｓｉｚｅ）、および移動局１０２の送信最大電力までの余裕を示す送信電力マージン情報（Ｐｏｗｅｒ  Ｍａｒｇｉｎ）をＵＳＩＣＣＨ１０６を用いて基地局１０３へ送信する（ステップＳＴ２０１）。
【００１５】
基地局１０３は、ＵＳＩＣＣＨ１０６による送信データを受信すると、送信データサイズ（Ｑｕｅｕｅ  Ｓｉｚｅ）および送信電力マージン情報（Ｐｏｗｅｒ  Ｍａｒｇｉｎ）を抽出し、それらの移動局情報、およびセル内の他の移動局１０２の移動局情報に基づいて、各々の移動局１０２と基地局１０３の間でのパケットデータの送受信タイミング等のスケジュールを決定する。決定した送受信タイミング情報（Ｍａｐ）、および、各々の移動局１０２に割り当てる最大許容電力増減量（Ｍａｘ  Ｐｏｗｅｒ  Ｍａｒｇｉｎ）をＤＳＡＣＣＨ１０７を用いて移動局１０２へ通知する（ステップＳＴ２０２）。
移動局１０２は、ＤＳＡＣＣＨ１０７による送信データを受信すると、移動局１０２における現時点での変調方式（ＴＦＲＩ）（Ｔｒａｎｓｐｏｒｔ  Ｆｏｒｍａｔ  Ｒｅｓｏｕｒｃｅ  Ｉｎｄｉｃａｔｏｒ）等をＵＴＣＣＨ１０８を用いて基地局１０３へ送信する（ステップＳＴ２０３）。
【００１６】
さらに、移動局１０２は、ＤＳＡＣＣＨ１０７による送信データ中に含まれる最大許容電力増減量（Ｍａｘ  Ｐｏｗｅｒ  Ｍａｒｇｉｎ）、および送信タイミング情報（Ｍａｐ）に基づいて、自己の変調方式に従って変調したパケットデータ（Ｄａｔａ）をＥＵＤＣＨ１０９を用いて基地局１０３へ送信する（ステップＳＴ２０４）。
基地局１０３は、ＵＴＣＣＨ１０８による送信データに含まれる変調方式（ＴＦＲＩ）に基づいて、ＥＵＤＣＨ１０９による送信データに含まれるパケットデータ（Ｄａｔａ）を復調し、データが正しく受信されたか否かを判断する。
基地局１０３は、受信判定結果として、データが正しく受信されたと判断された場合にはＡＣＫを、誤ったデータであると判断された場合にはＮＡＣＫをＤＡＮＣＣＨ１１０を用いて移動局１０２へ通知する（ステップＳＴ２０５）。
移動局１０２が基地局１０３からＡＣＫを受信した場合には、次のパケットデータ送信のためにステップＳＴ２０１からステップＳＴ２０５の通信処理が繰り返される。
【００１７】
一方、移動局１０２が基地局１０３からＮＡＣＫを受信した場合には、移動局１０２から基地局１０３へ再度同じパケットデータを送信するためにステップＳＴ２０１からステップＳＴ２０５の通信処理が繰り返される。
次に、実施の形態１による移動局１０２および基地局１０３のデータ送受信処理の詳細について説明する。
【００１８】
図５は、この発明の実施の形態１による移動局１０２と基地局１０３のパケットデータ送受信処理のフローチャートである。
また、図６および図７は、移動局１０２と基地局１０３のパケットデータ送受信処理のタイミングチャートである。図６は、移動局１０２から送信されたパケットデータが基地局１０３で全て正しく受信される場合を示しており、図７は、移動局１０２から送信された一部のパケットデータ（ＤＡＴＡ１）が基地局１０３で正しく受信されず、基地局１０３からＤＡＴＡ１の受信判定結果としてＮＡＣＫが通知される場合を示している。図中、縦軸は各チャネルを表し、横軸は時間を表している。また、矢印（実線）は基地局１０３の処理を表し、矢印（破線）は移動局１０２の処理を表している。ＲＥＱ１〜ＲＥＱ５は移動局１０２からＵＳＩＣＣＨ１０６を用いて順次送信される送信要求、ＡＳＳ１〜ＡＳＳ５は、基地局１０３からＤＳＡＣＣＨ１０７を用いて送信される各送信要求ＲＥＱ１〜ＲＥＱ５に対するスケジューリング指示情報、ＤＡＴＡ１〜ＤＡＴＡ４は、移動局１０２からＥＵＤＣＨ１０９を用いて送信されるパケットデータ、ＡＣＫ１〜ＡＣＫ４は、基地局１０３からＤＡＮＣＣＨ１１０を用いて送信される受信判定結果であり、括弧内にＡＣＫまたはＮＡＣＫの判定結果を示している。また、移動局１０２からＵＴＣＣＨ１０８を用いて送信される変調方式情報については図示していないが、ＤＡＴＡ１〜ＤＡＴＡ４と同時か、一部先行して送信されるものとする。
【００１９】
以下、図５〜図７、および図２、図３を用いて、移動局１０２と基地局１０３の間のパケットデータの送受信処理について説明する。
まず、移動局１０２において、送信データバッファ４０２は、基地局１０３へ送信するパケットデータが上位処理部４０１から供給されるまで監視を続ける（図５、ステップＳＴ６０１）。
図２を用いて、上位処理部４０１から送信データバッファ４０２へのパケットデータ供給処理について説明する。上位処理部４０１は、上位プロトコル層の所定処理を行ない、基地局１０３へ送信する１つ以上のパケットデータ（Ｄａｔａ）を送信データバッファ４０２へ出力する。なお、ここでは上位処理部４０１はＴＣＰ／ＩＰ層の処理を行うものとする。
次に、ステップＳＴ６０２へ進み、送信データバッファ４０２は上位処理部４０１から入力されたパケットデータのサイズに基づいて内部に保有しているパケットデータのサイズ（Ｑｕｅｕｅ  ｓｉｚｅ）を更新する。
また、送信電力制御部４０６は、送信電力マージン情報（Ｐｏｗｅｒ  ｍａｒｇｉｎ）を多重化部４０７に供給する。
【００２０】
次に、ステップＳＴ６０３へ進み、ＵＳＩＣＣＨ１０６を利用して基地局１０３に送信要求ＲＥＱ１を送信する。
ＲＥＱ１は多重化部４０７において生成される。多重化部４０７は、パケット送信制御部４０３を介して供給される送信データバッファ４０２内のパケットデータサイズ（Ｑｕｅｕｅ  ｓｉｚｅ）、および送信電力制御部４０６から供給される送信電力マージン情報（Ｐｏｗｅｒ  ｍａｒｇｉｎ）を多重生成し、ＵＳＩＣＣＨ１０６の信号として送信部４０８へ出力する。送信部４０８は、多重化部４０７から供給される多重化後のＵＳＩＣＣＨ１０６信号を公知技術を用いて無線周波数信号に変換する。また、送信電力制御部４０６から供給される送信電力制御情報（Ｐｏｗｅｒ）を基に、無線周波数信号を公知技術により送信に必要な送信電力まで増幅し、送信アンテナ４０９を介して基地局１０３に送信する。
【００２１】
ここで、送信電力制御部４０６は、変調制御部４０４から供給される変調方式情報（ＴＦＲＩ）に応じて、基地局１０３へ送信するのに必要な送信電力制御情報（Ｐｏｗｅｒ）を送信部４０８に出力している。
基地局１０３は、移動局１０２からのＵＳＩＣＣＨ１０６による送信要求の受信を監視している（ステップＳＴ６０４）。
アンテナ５０１を介してＵＳＩＣＣＨ１０６の無線周波数信号を受信すると、受信した信号は受信部５０２に供給され、ベースバンド信号に変換される。無線周波数信号からベースバンド信号への変換は公知技術による。
ベースバンド信号は分離部５０４に供給され、分離部５０４において各々のチャネルの信号が分離される。分離部５０４は、ＵＳＩＣＣＨ１０６の信号からデータのサイズ情報（Ｑｕｅｕｅ  Ｓｉｚｅ）および、送信電力マージン情報（Ｐｏｗｅｒ  ｍａｒｇｉｎ）を抽出し、送信スケジューラ５０６へ供給する。
次に、ステップＳＴ６０５において、基地局１０３は受信した送信要求ＲＥＱ１に対する送信スケジュールを生成する。
【００２２】
送信スケジューラ５０６は、分離部５０４から供給された送信データのサイズ情報（Ｑｕｅｕｅ  Ｓｉｚｅ）、送信電力マージン情報（Ｐｏｗｅｒ  ｍａｒｇｉｎ）及びその他の移動局情報に基づいて、各移動局１０２が基地局１０３にパケットデータを送信する際の送信タイミング等を決定し、スケジューリング指示情報（Ｓｃｈｅｄｕｌｉｎｇ  ａｓｓｉｇｎｍｅｎｔ）を生成する。この際、送信スケジューラ５０６の行う送信タイミング等の割当て（スケジューリング）方法としては、未送信パケット量の多い移動局１０２を優先させる方法、送信電力マージンのある移動局１０２を優先させる方法、送信要求を受信した順に割り当てる方法、あらかじめ決めた順番に従って割り当てる方法（ラウンドロビン）、伝播ロス或いは干渉の少ない、すなわち通信環境のよい移動局１０２に優先的に割り当てる方法（Ｍａｘ  Ｃ／Ｉ）、ラウンドロビンとＭａｘ  Ｃ／Ｉの中間的な方法（Ｐｒｏｐｏｒｔｉｏｎａｌ  Ｆａｉｒ）など、多種多様な方法が適用可能であり、基地局装置および通信システムの設計において、例えばセル全体のスループットが最も高くなるように設計、選定される。
【００２３】
送信スケジューラ５０６は、生成したスケジューリング指示情報（Ｓｃｈｅｄｕｌｉｎｇ  ａｓｓｉｇｎｍｅｎｔ）を多重化部５０８へ供給する。
多重化部５０８は、供給されたスケジューリング指示情報をＤＳＡＣＣＨ１０７の信号として生成し、送信部５０３へ出力する。
スケジューリング指示情報としてここでは、送受信タイミング情報（Ｍａｐ）、最大許容電力増減量（Ｍａｘ  Ｐｏｗｅｒ  Ｍａｒｇｉｎ）を示したが、その他に、最大送信レート、一時的な制限された送信レート、および最低保障送信レートなどの送信レート関連情報、あるいは、最大許容送信パワー、短時間区間送信パワーなどの電力関連情報の指示あるいは追加指示が可能である。あるいは上記各種情報の間に一定の関係を持たせ、間接的に指示することも可能である。例えば送信レートと送信パワーは比例関係にあるので、送信レートを直接指定して移動局１０２に通知する代わりに、送信パワーとして移動局１０２に通知することも可能である。
【００２４】
次に、ステップＳＴ６０６において、生成されたスケジューリング指示情報ＡＳＳ１がアンテナ５０１を介して移動局１０２に通知される。
移動局１０２は、ステップＳＴ６０７において、ＤＳＡＣＣＨ１０７を用いたＡＳＳ１の受信を監視している。
基地局１０３からのＤＳＡＣＣＨ１０７の無線周波数信号をアンテナ４０９を介して受信すると、無線周波数信号は受信部４１０へ供給される。受信部４１０は、供給された無線周波数信号を公知技術によりベースバンド信号に変換し、分離部４１１に供給する。分離部４１１は、供給されたベースバンド信号を公知技術によってチャネル毎の信号に分離する。分離部４１１は、分離されたＤＳＡＣＣＨ１０７の信号から、スケジューリング指示情報（Ｓｃｈｅｄｕｌｉｎｇ  ａｓｓｉｇｎｍｅｎｔ）を抽出し、パケット送信制御部４０３へ供給する。
【００２５】
パケット送信制御部４０３は、供給されたスケジューリング指示情報（Ｓｃｈｅｄｕｌｉｎｇ  Ａｓｓｉｇｎｍｅｎｔ）からデータ送信タイミング（ＴＸ  ｔｉｍｉｎｇ）を抽出し、送信バッファ４０２へ供給する。
同時に、移動局１０２では、ステップＳＴ６０１の未送信データ確認処理に移行し、次の送信要求ＲＥＱ２を基地局１０３へ送信する。基地局１０３は、ステップＳＴ６０４でＲＥＱ２を受信し、ステップＳＴ６０５で送信要求ＲＥＱ２に対応したスケジューリング指示情報ＡＳＳ２の生成を行い、ステップＳＴ６０６でＡＳＳ２を移動局１０２へ送信する。
要求制御部４２０は、送信要求ＲＥＱｎ（ｎ＝１，２，３，４，・・・）とＲＥＱｎに対する基地局１０３からのスケジューリング指示情報ＡＳＳｎの処理サイクル、すなわち、ＲＥＱ１送信（ステップＳＴ６０３）→ＡＳＳ１受信（ステップＳＴ６０７）→ＲＥＱ２送信（ステップＳＴ６０３）→ＡＳＳ２受信（ステップＳＴ６０７）→・・・の処理を管理する。
【００２６】
上記の処理を繰り返すことにより、図６および図７に示す送信要求ＲＥＱ１〜ＲＥＱ５の送信および、ＲＥＱ１〜ＲＥＱ５に対応した基地局１０３からのスケジューリング指示情報ＡＳＳ１〜ＡＳＳ５の通知が行なわれる。
ステップＳＴ６０８では、移動局１０２のパケット送信制御部４０３は、基地局１０３から受信したスケジューリング指示情報ＡＳＳ１に対応する送信要求ＲＥＱ１が初回の送信のものであるか、あるいは前回受信した受信判定結果がＡＣＫであるか否かを判定する。
ＲＥＱ１が初回の送信の場合、または前回の受信判定結果がＡＣＫである場合には、ステップＳＴ６０９ａに進み、初回のパケットデータ送信処理を行う。それ以外の場合には、ステップＳＴ６０９ｂへ進み、パケットデータの再送処理を行う。
以下、ステップＳＴ６０９ａにおけるＥＵＤＣＨ１０９を用いた基地局１０３へのパケットデータ送信処理の詳細について説明する。
【００２７】
移動局１０２の変調制御部４０４は、送信データバッファ４０２から通知されるパケットデータの送信データサイズ（Ｑｕｅｕｅ  ｓｉｚｅ）、および分離部４１１から供給されるスケジューリング指示情報（Ｓｃｈｅｄｕｌｉｎｇ  Ａｓｓｉｇｎｍｅｎｔ）ＡＳＳ１に基づいて、基地局１０３へ送信するパケットデータの変調方式とデータサイズの情報（変調方式情報：ＴＦＲＩ）を決定する。例えば、スケジューリング指示情報として送受信タイミング情報（Ｍａｐ）が通知された場合には、移動局１０２はそのタイミングの範囲内でパケットデータを送信する。また、最大許容電力増減量（Ｍａｘ  Ｐｏｗｅｒ  Ｍａｒｇｉｎ）が通知された場合には、通信サービス及びある変調方式で必要な信号電力ｖｓ．ノイズ（Ｅｂ／Ｎｏ）を基に最大許容電力増減量の範囲内で送信可能な送信レートを決定し、１回の送信で送信可能なデータ量を計算することにより決定される。また、スケジューリング指示情報として最大送信レートが通知された場合には、１回の送信で送信データバッファ４０２内のパケットデータができるだけ多く送信できるように、通知された最大送信レートの範囲内で送信レートを決定し、１回で送信可能なデータ量を計算することにより決定される。１回の送信で送信可能なデータ量は、例えば規格で定められた送信レート規定、移動局１０２の最大送信電力、伝播環境等の各要素の内容に応じて予め定められた所定のフォーマットに従って決められている。なお、この所定フォーマットは移動局１０２および基地局１０３双方で保持しているものとする。
【００２８】
決定したＴＦＲＩは送信データバッファ４０２、多重化部４０７、および送信電力制御部４０６へ供給される。
送信データバッファ４０２は、パケット送信制御部４０３から供給されるデータ送信タイミング（ＴＸ  ｔｉｍｉｎｇ）に移動局１０２から基地局１０３への送信が合うように送信データバッファ４０２から多重化部４０７へパケットデータ（ＥＵＤＣＨ  ＴＸ  ｄａｔａ）を供給する。このとき、ＤＡＴＡ１として送信するために多重化部４０７へ供給されるパケットデータ（ＥＵＤＣＨ  ＴＸ  ｄａｔａ）のデータ量は、変調方式情報（ＴＦＲＩ）に含まれる変調方法およびデータサイズに基づいて決定され、決定された量のデータを送信データバッファ４０２は多重化部４０７へ供給する。
多重化部４０７は、変調方式情報（ＴＦＲＩ）を基に、少なくとも１以上のパケットデータ（ＥＵＤＣＨ  ＴＸ  ｄａｔａ）を多重化し、多重化されたパケットデータ自体の情報（ＥＵＤＣＨ  ＴＸ  ｄａｔａ）からＥＵＤＣＨ１０９の信号を生成する。また、変調方式情報（ＴＦＲＩ）からＵＴＣＣＨ１０８の信号を生成し、これらの信号を符号多重化した後、送信部４０８へ出力する。
【００２９】
送信部４０８は、多重化部４０７から供給されたＵＴＣＣＨ１０８およびＥＵＤＣＨ１０９の信号を公知技術によって無線周波数信号へ変換すると共に、送信電力制御部４０６から入力される送信電力制御情報（Ｐｏｗｅｒ）に基づいて、無線周波数信号を公知技術により送信に必要な送信電力まで増幅し、アンテナ４０９へ出力する。アンテナ４０９は、基地局１０３へＤＡＴＡ１を送信する。
基地局１０３は、ステップＳＴ６１０で、移動局１０２から送信されたＤＡＴＡ１および変調方式情報（ＴＦＲＩ）をアンテナ５０１を介して受信する。アンテナ５０１は、これらの無線周波数信号を受信して受信部５０２へ出力する。受信部５０２は、ＵＴＣＣＨ１０８およびＥＵＤＣＨ１０９の各無線周波数信号を公知技術によりベースバンド信号に変換し、分離部５０４へ出力する。
【００３０】
分離部５０４は、ベースバンド信号を各チャネルの信号に分離し、ＵＴＣＣＨ１０８の信号から変調方式情報（ＴＦＲＩ）を抽出し、ＥＵＤＣＨ１０９の信号からこのＴＦＲＩを利用してＤＡＴＡ１の内容を復調して抽出する。分離部５０４は、ＤＡＴＡ１が正しく受信できたか判定する。分離部５０４は、ＤＡＴＡ１を正しく受信できたと判断した場合にはＡＣＫを、正しく受信できなかったと判断した場合にはＮＡＣＫを受信判定結果として、送信スケジューラ５０６を介して多重化部５０８へ出力する。
また、分離部５０４は、ＤＡＴＡ１を正しく受信できたと判断した場合には、受信データ（ＥＵＤＣＨ  ＲＸ  ｄａｔａ）ＤＡＴＡ１の内容を受信データバッファ５０５へ出力する。一方、分離部５０４は、ＤＡＴＡ１を正しく受信できなかったと判断した場合には、受信データ（ＥＵＤＣＨ  ＲＸ  ｄａｔａ）ＤＡＴＡ１を廃棄する。
次に、ステップＳＴ６１１において多重化部５０８は、送信スケジューラ５０６を介して通知された受信判定結果（ＡＣＫ／ＮＡＣＫ）ＡＣＫ１をＤＡＮＣＣＨ１１０の信号として生成し、送信部５０３へ出力する。なお、ここでは、図６の例に示すようにＤＡＴＡ１は正しく受信されたとし、ＡＣＫ１はＡＣＫであるものとする。
送信部５０３は、送受信アンテナ５０１を介して移動局１０２へＡＣＫ１を送信する。
【００３１】
次に、ステップＳＴ６１２において受信データバッファ５０５は、正しく受信されたパケットデータＤＡＴＡ１を上位処理部５０７へ供給する。
次に、ステップＳＴ６１６において、基地局１０３の送信スケジューラ５０６は、次のスケジューリング情報を移動局１０２へ送信してあるかどうか確認し、送信済のスケジューリング情報がある場合には、ステップＳＴ６１０へ移行して、当該スケジューリング情報に対応するパケットデータの受信を待ち受ける。送信済のスケジューリング情報がない場合には、ステップＳＴ６０４へ進み、移動局１０２からの新たな送信要求を待ち受ける。
上述したように、移動局１０２は、ステップＳ６０７で基地局１０３からＡＳＳ１を受信した後、ステップＳＴ６０１へ移行して次の送信要求ＲＥＱ２の送信処理を行っている。このため、ステップＳＴ６１１で送信されたＤＡＴＡ１に対する受信判定結果ＡＣＫ１が移動局１０２で受信される前に、送信要求ＲＥＱ２が移動局１０２から基地局１０３に送信されている。
【００３２】
よって、基地局１０３がＡＣＫ１を移動局１０２に送信した時点で、基地局１０３が既にＲＥＱ２に対するスケジューリング指示情報ＡＳＳ２を移動局１０２に通知していれば、時間を空けずに引き続きＤＡＴＡ２の受信処理を行うことができる。
同様に、移動局１０２から送信された送信データＤＡＴＡｎ（ｎ＝１，２，３，４，・・・）に対する受信判定結果ＡＣＫｎが移動局１０２で受信完了される前に、次の送信要求ＲＥＱｎ＋１が基地局１０３に対して送信されるので、移動局１０２の保有する送信データ量が大きい場合でも、効率よく送受信処理を行うことが可能となる。
移動局１０２は、ステップＳＴ６１３において基地局１０３からのＤＡＴＡ１に対する受信判定結果ＡＣＫ１の受信を監視している。
アンテナ４０９を介して基地局１０３からＤＡＮＣＣＨ１１０の無線周波数信号を受信すると、受信した無線周波数信号は受信部４１０へ供給されベースバンド信号に変換される。ベースバンド信号は分離部４１１に供給され、分離部４１１は、ＤＡＮＣＣＨ１１０の信号に含まれるＤＡＴＡ１の受信判定結果（ＡＣＫ／ＮＡＣＫ）ＡＣＫ１を抽出する。抽出されたＡＣＫ１はパケット送信制御部４０３へ出力される。
【００３３】
パケット送信制御部４０３は、ステップＳＴ６１３においてＤＡＴＡ１に対する受信判定結果ＡＣＫ１がＡＣＫであれば、ＤＡＴＡ１が基地局１０３で正しく受信されたと判断する。また、ＡＣＫ１がＮＡＣＫであれば、ＤＡＴＡ１が基地局１０３で正しく受信されなかったと判断する。
基地局１０３でＤＡＴＡ１が正しく受信された場合には、ステップＳＴ６１４へ移行し、パケット送信制御部４０３は送信データバッファ４０２内に更に送信すべきパケットデータが残っていないか確認する。
一方、基地局１０３でＤＡＴＡ１が正しく受信されなかった場合には、ステップＳＴ６１７へ移行し、基地局１０３から新たなスケジューリング指示情報ＡＳＳ２が来ているか否か判断する。
【００３４】
ここでは、ＤＡＴＡ１に対する受信判定結果ＡＣＫ１がＡＣＫである場合を例に取って説明する。ＡＣＫ１がＮＡＣＫの場合の動作については後述する。
ステップＳＴ６１４において、送信バッファ４０２内に送信すべきパケットデータが残っていると判断された場合には、ステップＳＴ６１５へ進み、パケット送信制御部４０３は基地局１０３から新たなスケジューリング指示情報が通知されているかどうかを判定する。新たなスケジューリング情報ＡＳＳ２が通知されている場合には、ステップＳＴ６０９ａへ移行し、送信要求ＲＥＱ２に対応するパケットデータＤＡＴＡ２の初回の送信を行う。一方、ＡＳＳ２が通知されていない場合には、ステップＳＴ６０２へ移行し、ＲＥＱ２を再度送信する。
また、ステップＳＴ６１４で送信データバッファ４０２内に送信すべきパケットデータが残っていないと判断された場合には、ステップＳＴ６０１へ移行し、パケット送信制御部４０３は上位処理ブロック４０１からの新たなデータ入力を待つ。
【００３５】
基地局１０３は、ステップＳＴ６１１において移動局１０２から送信されたＤＡＴＡ１が正しく受信されなかったと判断した場合には、移動局１０２へ受信判定結果ＡＣＫ１としてＮＡＣＫを送信する。
分離部５０４は、受信判定結果がＮＡＣＫであるので受信したＤＡＴＡ１を廃棄し、受信データバッファ５０５へは出力しない。
基地局１０３では、ＤＡＴＡ１の受信判定を行った時点で、ＤＡＴＡ１が移動局１０２から再送信されることが判明している。よって、基地局１０３は、移動局１０２から既に送信されてきている２つ目の送信要求ＲＥＱ２に対するスケジューリング指示情報ＡＳＳ２の作成および送信は行なわない。その代わりに、図７に示すように、ＤＡＴＡ１再送用のスケジューリング指示情報ＡＳＳ１（再）を作成し、移動局１０２に送信する（ステップＳＴ６０６）。
【００３６】
データ受信処理部５２０は、移動局１０２から受信したＤＡＴＡに対する受信判定結果ＡＣＫの管理を行っている。データ受信処理部５２０は、受信したＤＡＴＡに対してＮＡＣＫ判定がされた場合には、再送制御部５２１に対して再送用のスケジューリング指示情報ＡＳＳ（再）の生成および送信を行うように指示する。再送制御部５２１は、初回の送信要求ＲＥＱに対するスケジューリング指示情報ＡＳＳと再送用のスケジューリング指示情報ＡＳＳ（再）の送信処理を管理している。
データ受信処理部５２０と再送制御部５２１が以上のように連携することにより、図６および図７に示すような送受信サイクルが実行される。
移動局１０２は、ステップＳＴ６１３でＤＡＴＡ１に対する受信判定結果ＡＣＫ１を受信し、その結果がＮＡＣＫである場合にはステップＳＴ６１７へ進む。
【００３７】
ステップＳＴ６１７において、移動局１０２が既にＤＡＴＡ１再送信用のスケジューリング指示情報ＡＳＳ１（再）を基地局１０３から受信していると判断された場合には、ステップＳＴ６０９ｂに進む。また、ＡＳＳ１（再）が未受信の場合には、ステップＳＴ６０２へ戻り、再度ＲＥＱ１を送信する。
ステップＳＴ６０９ｂでは、パケット送信制御部４０３は分離部４１１を介して供給されたＡＳＳ１（再）からＤＡＴＡ１の再送タイミング（ＴＸ  ｔｉｍｉｎｇ）を抽出し、送信データバッファ４０２に通知してＤＡＴＡ１の再送準備を行なう。
なお、変調制御部４０４は、ＤＡＴＡ１再送信時の変調方式等を変更する場合には、新たな変調方式情報（ＴＦＲＩ）を送信データバッファ４０２、多重化部４０７、送信電力制御部４０６へ通知する。
【００３８】
送信データバッファ４０２は、パケット送信制御部４０３から通知された送信タイミング（ＴＸ  ｔｉｍｉｎｇ）、変調制御部４０４から必要に応じて供給された変調方式情報（ＴＦＲＩ）に基づいて、ＤＡＴＡ１（ＥＵＤＣＨ  ＴＸ  ｄａｔａ）を多重化部４０７へ供給する。
多重化部４０７は、ＤＡＴＡ１（ＥＵＤＣＨ  ＴＸ  ｄａｔａ）をＥＵＤＣＨ１０９を利用して送るように多重生成し、送信部４０８に供給する。送信部４０８は、アンテナ４０９を介して基地局１０３にＤＡＴＡ１を再送信する。
基地局１０３は、ステップＳＴ６１０で再送データＤＡＴＡ１（再）を受信し、ＤＡＴＡ１（再）の受信判定結果がＡＣＫであれば、移動局１０２に受信判定結果としてＡＣＫ１（ＡＣＫ）を送信する（ステップＳＴ６１１）。
【００３９】
上述したように、移動局１０２の要求制御部４２０は、送信要求ＲＥＱｎに対する基地局１０３からのスケジューリング指示情報ＡＳＳｎの受信を管理している。要求制御部４２０は、基地局１０３からＤＡＴＡ１の再送信のためのスケジューリング指示情報ＡＳＳ１（再）を受信したことを確認した時点で、再度２回目の送信要求ＲＥＱ２（再）を基地局１０３に送信するように制御している。
よって、基地局１０３は、ＤＡＴＡ１（再）に対する受信判定結果ＡＣＫ１（ＡＣＫ）を送信した後、引き続き送信要求ＲＥＱ２（再）に対するスケジューリング指示情報ＡＳＳ２を移動局１０２に送信する。
移動局１０２は、ステップＳＴ６１３でＤＡＴＡ１（再）に対する受信判定結果がＡＣＫであることを確認し、また、ＲＥＱ２に対応するスケジューリング指示情報ＡＳＳ２を受信していることを確認すると、ＡＳＳ２に従ってＤＡＴＡ２を基地局１０３に送信する。
【００４０】
移動局１０２のデータ送信制御部４２１は、ＤＡＴＡｎ（ｎ＝１，２，３，４，・・・）とＤＡＴＡｎに対する受信判定結果ＡＣＫｎの送受信処理サイクル、すなわち、ＤＡＴＡ１送信→ＡＣＫ１受信→ＤＡＴＡ２送信→ＡＣＫ２受信→  ・・・の処理を管理している。要求制御部４２０とデータ送信制御部４２１の間で、それぞれのＲＥＱおよびＤＡＴＡ送信に対する受信結果ＡＳＳ、ＡＣＫの内容を通知しあうことにより、図６および図７に示すようなデータ送受信サイクルが実行される。
以上のように、この実施の形態１によれば、移動局１０２からの送信データに対する基地局１０３の受信判定結果が移動局１０２で受信される前に、移動局１０２は次の送信データの送信要求を基地局１０３に送信している。これにより、次の送信データを基地局１０３に送信するまでの時間を短縮できるという効果がある。また、ある送信データに対する受信判定結果がＮＡＣＫであり、基地局１０３において再送信する必要が生じても素早く再送することが可能であり、送信処理の遅延時間を低減することができる。
また、従来技術に関連して述べた場合よりも送信要求の送信間隔を短くしてもよい（例えば２ｍｓ）。この場合には、１回の送信における送信要求ＲＥＱおよびスケジューリング指示情報ＡＳＳの情報量を少なくすることができる。このため、１回の送信時間と共に、送信サイクル全体を短くすることができるので、初回および再送データの送信遅延を低減することができる。
【００４１】
実施の形態２．
図８は、この発明の実施の形態２による移動局１０２の構成を示すブロック図である。図２と同一の符号は同一の構成要素を表している。また、図９は、この発明の実施の形態２による基地局１０３の構成を示すブロック図である。図３と同一の符号は同一の構成要素を表している。
実施の形態２では、移動局１０２がＵＳＩＣＣＨ１０６を用いて基地局１０３に送信する情報に、実施の形態１と同様の送信データサイズ（Ｑｕｅｕｅ  Ｓｉｚｅ）、および移動局１０２の送信最大電力までの余裕を示す送信電力マージン情報（Ｐｏｗｅｒ  Ｍａｒｇｉｎ）に加え、送信用伝送レート変更要求（Ｒａｔｅ  Ｒｅｑｕｅｓｔ）ＲＲを含む。
また、基地局１０３がＤＳＡＣＣＨ１０７を用いて移動局１０２に送信する情報に、実施の形態１と同様の送受信タイミング情報（Ｍａｐ）、および、各々の移動局１０２に割り当てる最大許容電力増減量（Ｍａｘ  Ｐｏｗｅｒ  Ｍａｒｇｉｎ）に加え、上記の送信用伝送レート変更要求ＲＲに対する許可レートとして送信用伝送レート許可（Ｒａｔｅ  Ｇｒａｎｔ）ＲＧを含む。
送信用伝送レート変更要求ＲＲは、データ送信速度の増加または減少を要求する情報である。また、送信用伝送レート許可ＲＧは、送信用伝送レート変更要求ＲＲに対応して、データ送信速度の増加または減少を許可する情報である。
【００４２】
次に、実施の形態２による移動局１０２および基地局１０３のデータ送受信処理について説明する。
図１０は、この発明の実施の形態２による移動局１０２と基地局１０３のパケットデータ送受信処理のフローチャートである。
また、図１１は、移動局１０２と基地局１０３のパケットデータ送受信処理のタイミングチャートである。図中、縦軸は各チャネルを表し、横軸は時間を表している。また、矢印（実線）は基地局１０３の処理を表し、矢印（破線）は移動局１０２の処理を表している。ＲＲ１〜ＲＲ５は移動局１０２からＵＳＩＣＣＨ１０６を用いて順次送信される送信用伝送レート変更要求、ＲＧ１〜ＲＧ５は、基地局１０３からＤＳＡＣＣＨ１０７を用いて送信され、各送信用伝送レート変更要求ＲＲ１〜ＲＲ５に対する送信用伝送レート許可、ＤＡＴＡ１〜ＤＡＴＡ４、ＡＣＫ１〜ＡＣＫ４は、図６と同様である。また、移動局１０２からＵＴＣＣＨ１０８を用いて送信される変調方式情報については図示していないが、ＤＡＴＡ１〜ＤＡＴＡ４と同時か、一部先行して送信されるものとする。また、図ではＵＳＩＣＣＨ１０６を用いて送信される情報として送信用伝送レート変更要求ＲＲ１〜ＲＲ５のみを示しているが、実施の形態１と同様にＲＥＱ１〜ＲＥＱ５も送信される。同様に、ＤＳＡＣＣＨ１０７によって送信される情報として送信用伝送レート許可ＲＧ１〜ＲＧ５のみを示しているが、スケジューリング指示情報ＡＳＳ１〜ＡＳＳ５も送信される。
【００４３】
以下、図８〜図１１を用いて、移動局１０２と基地局１０３の間のパケットデータの送受信処理について説明する。なお、図１０において、実施の形態１と同様の処理を行うステップについては、図５と同一の番号で示している。ここでは、実施の形態１と処理内容が異なる、移動局１０２のステップＳＴ７０３、および基地局１０３のステップＳＴ７０６について詳しく説明する。
移動局１０２は、ステップＳＴ７０３においてＵＳＩＣＣＨ１０６を利用して基地局１０３に送信用伝送レート変更要求ＲＲ１を送信する。
送信用伝送レート変更要求ＲＲ１は、多重化部４０７において生成される。パケット送信制御部４０３は、送信データバッファ４０２から通知されたデータのサイズ（Ｑｕｅｕｅ  ｓｉｚｅ）が前回よりも増加した場合には、ＲＲ１として送信レート増加要求情報を、減少した場合には送信レート減少要求情報を多重化部４０７へ通知する。
なお、送信用伝送レート変更要求ＲＲの決定方法については上記以外にも種々の方法が考えられ、例えば、データサイズ（Ｑｕｅｕｅ  ｓｉｚｅ）値の長期間平均に基づいて決定してもよい。
【００４４】
多重化部４０７は、パケット送信制御部４０３から通知される送信データバッファ４０２内のデータのサイズ（Ｑｕｅｕｅ  ｓｉｚｅ）および送信用伝送レート変更要求ＲＲ１、ならびに送信電力制御部４０６から供給される送信電力マージン情報（Ｐｏｗｅｒ  ｍａｒｇｉｎ）を多重生成し、ＵＳＩＣＣＨ１０６の信号として送信部４０８へ出力する。
送信部４０８は、多重化部４０７から供給される多重化後のＵＳＩＣＣＨ１０６信号を公知技術を用いて無線周波数信号に変換する。また、送信電力制御部４０６から供給される送信電力制御情報（Ｐｏｗｅｒ）を基に、無線周波数信号を公知技術により送信に必要な送信電力まで増幅し、送信アンテナ４０９を介して基地局１０３に送信する。
一方、基地局１０３は、ステップＳＴ６０４において移動局１０２からのＵＳＩＣＣＨ１０６によるＲＲ１の受信を監視している。
アンテナ５０１を介してＵＳＩＣＣＨ１０６の無線周波数信号を受信すると、受信した信号は受信部５０２に供給され、ベースバンド信号に変換される。無線周波数信号からベースバンド信号への変換は公知技術による。
ベースバンド信号は分離部５０４に供給され、分離部５０４において各々のチャネルの信号が分離される。分離部５０４は、ＵＳＩＣＣＨ１０６の信号からデータのサイズ情報（Ｑｕｅｕｅ  Ｓｉｚｅ）、送信用伝送レート変更要求ＲＲ１、および、送信電力マージン情報（Ｐｏｗｅｒ  ｍａｒｇｉｎ）を抽出し、送信スケジューラ５０６へ供給する。
【００４５】
次に、ステップＳＴ６０５において、基地局１０３は送信スケジュールを生成する。
送信スケジューラ５０６は、分離部５０４から供給された送信データのサイズ情報（Ｑｕｅｕｅ  Ｓｉｚｅ）、送信用伝送レート変更要求ＲＲ１、送信電力マージン情報（Ｐｏｗｅｒ  ｍａｒｇｉｎ）及びその他の移動局情報に基づいて、例えばセル内の全ての移動局１０２から要求された送信用伝送レート変更要求（ＲＲ）、通信するサービスの優先度、移動局の優先度、各移動局１０２の要求する送信レートでの送信により発生する基地局１０３の受信アンテナ端における干渉電力量の計算から、各移動局１０２に対するスケジューリングを行う。スケジューリングの方法としては、実施の形態１と同様に、未送信パケット量の多い移動局１０２を優先させる方法、送信電力マージンのある移動局１０２を優先させる方法、送信要求を受信した順に割り当てる方法、あらかじめ決めた順番に従って割り当てる方法（ラウンドロビン）、伝播ロス或いは干渉の少ない、すなわち通信環境のよい移動局１０２に優先的に割り当てる方法（Ｍａｘ  Ｃ／Ｉ）、ラウンドロビンとＭａｘ  Ｃ／Ｉの中間的な方法（Ｐｒｏｐｏｔｉｏｎａｌ  Ｆａｉｒ）など、多種多様な方法が適用可能である。セル全体としてのスループットが最大になる条件のもとで、各移動局１０２に許容可能な送信レートの中から一度に送信可能なデータ量が最大になるものを選択し、各移動局１０２が基地局１０３にパケットデータを送信する際のスケジューリング指示情報、および送信用伝送レート変更要求ＲＲ１に対する送信用伝送レートを決定して送信用伝送レート許可ＲＧ１を生成する。送信用伝送レート許可ＲＧ１は、送信用伝送レート変更要求ＲＲと同様に、送信レート増加要求情報または減少した場合には送信レート減少要求情報を含んでいる。
【００４６】
送信スケジューラ５０６は、生成した送信用伝送レート許可ＲＧ１、およびスケジューリング指示情報を多重化部５０８へ供給する。
多重化部５０８は、供給されたＲＧ１およびスケジューリング指示情報をＤＳＡＣＣＨ１０７の信号として生成し、送信部５０３へ出力する。
次に、ステップＳＴ７０６において、ＲＧ１およびスケジューリング指示情報がアンテナ５０１を介して移動局１０２に通知される。
移動局１０２は、ステップＳＴ６０７において、ＤＳＡＣＣＨ１０７を用いたＡＳＳ１の受信を監視している。
基地局１０３からのＤＳＡＣＣＨ１０７の無線周波数信号をアンテナ４０９を介して受信すると、無線周波数信号は受信部４１０へ供給される。受信部４１０は、供給された無線周波数信号を公知技術によりベースバンド信号に変換し、分離部４１１に供給する。分離部４１１は、供給されたベースバンド信号を公知技術によってチャネル毎の信号に分離する。分離部４１１は、分離されたＤＳＡＣＣＨ１０７の信号から、送信用伝送レート許可ＲＧ１、スケジューリング指示情報（Ｓｃｈｅｄｕｌｉｎｇ  ａｓｓｉｇｎｍｅｎｔ）を抽出し、パケット送信制御部４０３へ供給する。
移動局１０２のパケット送信制御部４０３は、送信用伝送レート許可ＲＧ１によって指定される送信レート以下のレートで、一度に送信できるデータ量が最大になるように送信レートを決定し、データ送信制御部４２１、多重化部４０７、送信電力制御部４０６を制御して、ステップＳＴ６０９ａおよびステップＳＴ６０９ｂにおいて基地局１０３へパケットデータを送信する。
【００４７】
なお、上記で説明した以外のステップにおける移動局１０２および基地局１０３の処理は実施の形態１と同様である。
以上のように、実施の形態２によれば、移動局１０２からの送信データに対する基地局１０３の受信判定結果が移動局１０２で受信される前に、移動局１０２は次の送信データの送信用伝送レート変更要求を基地局１０３に送信している。これにより、実施の形態１と同様に、次の送信データを基地局１０３に送信するまでの時間を短縮できるという効果がある。また、ある送信データに対する受信判定結果がＮＡＣＫであり、基地局１０３において再送信する必要が生じても素早く再送することが可能であり、送信処理の遅延時間を低減することができる。
なお、実施の形態２では、移動局１０２は送信用伝送レート変更要求と共に実施の形態１と同様の送信要求情報を基地局１０３に送信しているが、送信用伝送レート変更要求のみを送信するようにしてもよい。送信用伝送レート変更要求ＲＲは、図１１に示すように１回分のＤＡＴＡの送信に対応して１つづつ送信される。従って、送信用伝送レート変更要求ＲＲのみを基地局１０３に送信しても、基地局１０３に対し送信要求が発生したことを通知することが可能である。
【００４８】
また、実施の形態２では、基地局１０３は送信用伝送レート許可と共に実施の形態１と同様のスケジューリング指示情報を送信しているが、送信用伝送レート許可のみを送信するようにしてもよい。送信用伝送レート許可ＲＧは送信用伝送レート変更要求ＲＲと１対１に対応して基地局１０３から送信されるので、送信用伝送レート許可ＲＧのみを送信しても、移動局１０２に送信タイミングの割当てを通知することが可能である。
また、従来技術に関連して述べた場合よりも送信要求の送信間隔を短くしてもよい（例えば２ｍｓ）。この場合には、１回の送信における送信用伝送レート変更要求ＲＲおよび送信用伝送レート許可ＲＧの情報量を少なくすることができる。このため、１回の送信時間と共に、送信サイクル全体を短くすることができるので、初回および再送データの送信遅延を低減することができる。
【００４９】
実施の形態３．
実施の形態３は、実施の形態１および実施の形態２をオンデマインド型のチャネル割当方式である並列型再送方式（Ｎ  ｃｈａｎｎｅｌ  Ｓｔｏｐ  ａｎｄ  Ｗａｉｔ：Ｎ（自然数）は分割数）に適用したものである。移動局１０２と基地局１０３の間でのデータ送受信に用いられる各チャネルを周期的に時分割して送受信データに割当て、各々の割当てにおいて、独立してデータ再送処理を行う。
具体的なＮの値および通知方法は、３ＧＰＰ規格仕様においてその範囲が規定される。分割数Ｎは、通信開始時におけるチャネル等の設定時または通信途中において、基地局制御装置１０４、基地局１０３、および移動局１０２の間の情報のやり取りによって決定されるものとする。また、基地局１０３が単独で決定して通知するようにしてもよいし、基地局１０３が基地局制御装置１０４が指定した範囲内で決定するようにしてもよい。移動局１０２からの要求に基づいて基地局制御装置１０４が決定するようにしてもよい。
【００５０】
例えば、基地局制御装置１０４から基地局１０３および移動局１０２へ分割数Ｎを通知する方法の場合、３ＧＰＰ規格では基地局制御装置１０４と基地局１０３のやり取りはＮＢＡＰ  ｓｉｇｎａｌｌｉｎｇと呼ばれ、３ＧＰＰ規格ＴＳ２５．４３０〜ＴＳ２５．４３５の中で規定されている。また、基地局制御装置１０４と移動局１０２のやり取りはＲＲＣ  ｓｉｇｎａｌｌｉｎｇと呼ばれ、規格ＴＳ２５．３３１で規定される。
また、移動局１０２が送信データバッファ４０２などの記憶装置の容量、最大送信レート等を基地局制御装置１０４へ通知し、基地局制御装置１０４がそれらの値に基づいてＮの値を決定してもよい。
なお、上述した制御情報の通知は、３ＧＰＰ規格リリース１９９９版で規定される各種チャネル、あるいは実施の形態１〜３で示す各種チャネルを用いて行なうことができるが、ここでは特に限定しない。なお、リリース１９９９版では、規格ＴＳ２５．２１１で各種チャネルについて規定されている。
【００５１】
図１２は、実施の形態３による移動局１０２の送信データバッファ４０２の構成を示すブロック図である。図に示すように、送信データバッファ４０２は、データ用メモリ１１０１、再送用バッファ１１０２（Ｓｔｏｐ＆Ｗａｉｔ  ｂｕｆｆｅｒ）を備えている。また、再送用バッファ１１０２は、第１のセレクタ１１０３、再送用メモリ１１０４−１〜１１０４−Ｎ（Ｎは自然数）、第２のセレクタ１１０５を備えている。
次に、実施の形態３による移動局１０２と基地局１０３のデータ送受信処理について説明する。
図１３は、移動局１０２と基地局１０３のパケットデータ送受信処理のタイミングチャートである。図中、縦軸は各チャネルを表し、横軸は時間を表している。また、矢印（実線）は基地局１０３の処理を表し、矢印（破線）は移動局１０２の処理を表している。
まず、図１３を用いてオンデマインド型のチャネル割当方式で、並列型再送を行う場合の動作原理を説明する。
【００５２】
Ｃｈ．１〜Ｃｈ．３は、時分割された各チャネルの送信フレームを表している。ここでは時分割数Ｎを３、サブフレーム時間長を２ｍｓとしている。各データはサブフレーム単位で順次送受信処理される。ここで、分割数Ｎは、Ｃｈ．１に割り当てられた送信要求ＲＥＱ１に対する基地局１０３からの受信判定結果ＡＣＫ１が移動局１０２で受信完了される前に、次の送信要求ＲＥＱ２が送信開始されるように定められている。
図中、ＲＥＱ１〜ＲＥＱ３は、ＵＳＩＣＣＨ１０６のＣｈ．１〜Ｃｈ．３を利用して送信される送信要求、ＡＳＳ１〜ＡＳＳ３は、ＤＳＡＣＣＨ１０７のＣｈ．１〜Ｃｈ．３を利用して送信されるスケジューリング指示情報、ＤＡＴＡ１〜ＤＡＴＡ３は、ＥＵＤＣＨ１０９のＣｈ．１〜Ｃｈ．３を利用して送信されるパケットデータ、ＡＣＫ１〜ＡＣＫ３は、ＤＡＮＣＣＨ１１０のＣｈ．１〜Ｃｈ．３を利用して送信される受信判定結果情報を表す。ＲＥＱ、ＡＳＳ、ＤＡＴＡ、ＡＣＫは、実施の形態１のＲＥＱ、ＡＳＳ、ＤＡＴＡ、ＡＣＫと同様の情報を有する。なお、移動局１０２からＵＴＣＣＨ１０８を用いて送信される変調方式情報については図示していないが、ＤＡＴＡ１〜ＤＡＴＡ３と同時か、一部先行して送信されるものとする。
【００５３】
図１４は、実施の形態３による移動局１０２と基地局１０３のパケットデータ送受信処理のフローチャートである。
図１４において、実施の形態１と同様の処理を行うステップについては、図５と同一の番号で示している。Ｎ個に時分割された各送信サイクルにおける送受信処理は、実施の形態１の送受信処理とほぼ同様である。実施の形態１と処理内容が異なるのは、移動局１０２のステップＳＴ８２０におけるサイクル識別番号（Ｃｈ．１〜Ｃｈ．３）の決定と、送信データバッファ４０２内部の処理である。
ここで、実施の形態３による送信データバッファ４０２の動作について説明する。
送信データバッファ４０２は、上位処理部４０１からパケットデータ（Ｄａｔａ）が入力されると、データ用メモリ１１０１にパケットデータ（Ｄａｔａ）を一時的に記憶する。
データ用メモリ１１０１は、入力されたパケットデータ（Ｄａｔａ）のデータサイズに基づいて、内部に保有する送信データサイズ（Ｑｕｅｕｅ  ｓｉｚｅ）を更新し、パケット送信制御部４０３へ出力する。
【００５４】
次に、データ用メモリ１１０１は、入力される変調方式情報（ＴＲＦＩ）に含まれる１回の送信における送信データサイズ（Ｂｌｏｃｋ  ｓｉｚｅ）情報に基づいて、保有しているパケットデータ（Ｄａｔａ）を分割し、第１のセレクタ１１０３に出力する。
第１のセレクタ１１０３は、パケット送信制御部４０３から入力される送信タイミング（ＴＸ  ｔｉｍｉｎｇ）情報に基づいて、データ用メモリ１１０１から入力されるパケットデータを、再送用メモリ１１０４−１〜１１０４−Ｎへ割当て、出力する。
再送用メモリ１１０４−１〜１１０４−Ｎは、割当てられたパケットデータを記憶する。
第２のセレクタ１１０５は、パケット送信制御部４０３から供給された送信タイミング（ＴＸ  ｔｉｍｉｎｇ）に基づいて、送信すべき時分割されたパケットデータ（Ｄａｔａ）が記憶されている再送用メモリ１１０４−１〜１１０４−Ｎを選択し、当該再送用メモリに記憶されている時分割データ（ＥＵＤＣＨ  ＴＸ  ｄａｔａ）を多重化部４０７へ出力する。
【００５５】
また、第１のセレクタ１１０３は、第２のセレクタ１１０５の動作と同時に、パケット送信制御部４０３から入力される送信タイミング（ＴＸ  ｔｉｍｉｎｇ）を基に、データ用メモリ１１０１から入力される、時分割された１つ以上のパケットデータを、再送用メモリ１１０４−１〜１１０４−Ｎへ割当てる。
図１３に示すように、移動局１０２から基地局１０３へ送信要求ＲＥＱ１が送信され、続いてＲＥＱ２、ＲＥＱ３が送信される。基地局１０３は送信要求ＲＥＱ１を受信し、送信スケジューラ５０６においてスケジューリング指示情報ＡＳＳ１を作成して移動局１０２へ通知する。また同様に基地局１０３は、ＲＥＱ２、ＲＥＱ３に対するスケジューリング指示情報ＡＳＳ２、ＡＳＳ３を作成して送信する。
移動局１０２は、受信したＡＳＳ１に従って、基地局１０３へＤＡＴＡ１を送信する。同様にＡＳＳ２、ＡＳＳ３に従って、ＤＡＴＡ２、ＤＡＴＡ３を送信する。
基地局１０３は、ＤＡＴＡ１受信後、受信判定結果ＡＣＫ１を移動局１０２へ送信する。また、同様に、ＤＡＴＡ２、ＤＡＴＡ３受信後、受信判定結果ＡＣＫ２、ＡＣＫ３を送信する。
【００５６】
ここで、移動局１０２は、例えばチャネルｃｈ．１に着目した場合、受信判定結果ＡＣＫ１を受信完了する前に、同じｃｈ．１の次のデータＲＥＱ１を基地局１０３へ送信開始する。
なお、初期状態として、再送用メモリ１１０４−１〜１１０４−Ｎには、時分割されたサブフレーム長のデータを１単位として、パケットデータがそれぞれ１つ記憶されている。
以上のように、実施の形態３によれば、ある時分割された送信タイミングで送信されたデータに対する受信判定結果が移動局において受信完了される前の時点で、同じサイクル内の次の送信タイミングで次の送信要求を送信しているので、並列型再送方式においてデータ送信間隔を短くすることができる。これにより、あるデータに対する受信判定結果がＮＡＣＫで、次の割当てされたタイミングにおいて再送する必要が生じても素早く再送することが可能であり、遅延時間を低減することができる。
【００５７】
また、従来技術に関連して述べた場合よりも送信要求の送信間隔を短くしているので、１回の送信における送信要求ＲＥＱおよびスケジューリング指示情報ＡＳＳの情報量を少なくすることができる。このため、１回の送信時間と共に、送信サイクル全体を短くすることができるので、初回および再送データの送信遅延を低減することができる。
なお、実施の形態３では、データ用メモリ１１０１と再送用メモリ１１０４−１〜１１０４−Ｎを分けているが、兼用するようにしてもよい。その場合、Ｎの代わりに各送信サイクル毎にメモリのサイズを指定するようにしてもよい。具体的なメモリサイズの値および通知方法は、３ＧＰＰ規格仕様としてその範囲が規定され、通信の開始時におけるチャネル等の設定時、または通信途中において、基地局制御装置１０４、基地局１０３、および移動局１０２の間の情報のやり取りによって指定されるものとする。例えば、基地局制御装置１０４から基地局１０３および移動局１０２へ通知する場合には、３ＧＰＰ規格において、基地局制御装置１０４と基地局１０３のやり取りはＮＢＡＰ  ｓｉｇｎａｌｌｉｎｇと呼ばれ規格書ＴＳ２５．４３０〜ＴＳ２５．４３５の中で規定される。また、基地局制御装置１０４と移動局１０２のやり取りはＲＲＣ  ｓｉｇｎａｌｌｉｎｇと呼ばれ規格書ＴＳ２５．３３１で規定されている。
【００５８】
また、メモリサイズの決定方法としては、例えば、移動局１０２の送信バッファなどの記憶装置の能力値（Ｃａｐａｂｉｌｉｔｙ；規格書ＴＳ２５．３０６に記載）を通信の開始時（チャネル等の設定時）に基地局制御装置１０４へ通知し、基地局制御装置１０４が移動局１０２から通知されるその他の能力値（Ｃａｐａｂｉｌｉｔｙ）、例えば最大送信レートや、ＱｏＳ（Ｑｕａｌｉｔｙ  Ｏｆ  Ｓｅｒｖｉｃｅ：サービスの種類、最低保障送信レートなど）も併せて考慮し、決定する方法がある。
また、実施の形態２のように、送信要求ＲＥＱの代わりに送信用伝送レート変更要求ＲＲを、スケジューリング指示情報ＡＳＳの変わりに送信用伝送レート許可ＲＧを送信するようにしてもよい。この場合にも同様の効果を得ることができる。
【００５９】
次に、実施の形態３による第１の変形例について説明する。
図１５は、実施の形態３の第１の変形例による、移動局と基地局の間のデータ送受信処理のタイミングチャートである。第１の変形例も並列型再送方式に適用されている。
図１３との違いは、移動局１０２から送信される送信要求ＲＥＱ１〜ＲＥＱ３が符号多重により多重され、かつ、送信要求ＲＥＱ１〜ＲＥＱ３の個々の送信時間が長くなっていることである。
一連の送受信動作については、図１４で示す上記の実施例と同様である。
【００６０】
図１６に、第１の変形例によるチャネル多重方法を示す。これは、Ｗ−ＣＤＭＡの従来規格（リリース１９９９版）において移動局１０２から基地局１０３へ送信される各種物理チャネルと、本発明による各チャネルとを多重する方法を示している。
なお、この多重処理は、移動局１０２の多重化４０７において行なわれる。
図において、ＤＰＤＣＨ1〜ＤＰＤＣＨ6（Ｄｅｄｉｃａｔｅｄ  Ｐｈｙｓｉｃａｌ  Ｃｈａｎｎｅｌ）はデータ用チャネル、ＵＳＩＣＣＨ1〜ＵＳＩＣＣＨ3は送信要求ＲＥＱ１〜ＲＥＱ３を送信するチャネル、ＤＰＣＣＨ（Ｄｅｄｉｃａｔｅｄ  Ｃｏｎｔｒｏｌ  Ｃｈａｎｎｅｌ）、およびＨＳ−ＤＰＣＣＨ（Ｈｉｇｈ  Ｓｐｅｅｄ−Ｄｅｄｉｃａｔｅｄ  Ｃｏｎｔｒｏｌ  Ｃｈａｎｎｅｌ）は制御用チャネル、ＥＵＤＣＨはパケットデータ送信用チャネルである。また、ＣdはＤＰＤＣＨ用の拡散符号、ＣcはＤＰＣＣＨ用の拡散符号、ＣT1〜ＣT3はそれぞれＵＳＩＣＣＨ1〜ＵＳＩＣＣＨ3用の拡散符号、ＣhsはＨＳ−ＤＰＣＣＨ用の拡散符号、ＣeuはＥＵＤＣＨ用の拡散符号である。また、βdはＤＰＤＣＨ用の信号振幅係数、βcはＤＰＣＣＨ用の信号振幅係数、βhsはＨＳ−ＤＰＣＣＨ用の信号振幅係数、βTはＵＳＩＣＣＨ用の信号振幅係数、βeuはＥＵＤＣＨ用の信号振幅係数、Ｓdpch,nは移動局識別用スクランブル符号を示す。各チャネルにおいて、実施の形態１で示したチャネル以外のチャネルは、従来規格のチャネルに対応している。各チャネルのフォーマットについては、規格書ＴＳ２５．２１１に、多重方法については規格書ＴＳ２５．２１３に規定されている。
【００６１】
図に示すように、ＤＰＤＣＨ1，ＤＰＤＣＨ3，ＤＰＤＣＨ5およびＵＳＩＣＣＨ1〜ＵＳＩＣＣＨ3は、各チャネル用の拡散符号および振幅係数を乗算したのち、複素信号（Ｉ＋ｊ＊Ｑ）のＩ軸に割り当てられるようにＩ軸用の加算器（Σ）で加算される。
一方、ＤＰＤＣＨ2，ＤＰＤＣＨ4，ＤＰＤＣＨ6，ＤＰＣＣＨ，ＨＳ−ＤＰＣＣＨ，ＥＵＤＣＨは、各チャネル用の拡散符号および振幅係数を乗算したのち、複素信号のＱ軸に割り当てられるようにＱ軸用の加算器（Σ）で加算される。
加算されたＤＰＤＣＨ2，ＤＰＤＣＨ4，ＤＰＤＣＨ6，ＤＰＣＣＨ，ＨＳ−ＤＰＣＣＨ，ＥＵＤＣＨは、虚数（ｊ）をかけられ、Ｉ軸の加算結果と加算（ＩＱ多重）され、複素数信号として取り扱われる。
【００６２】
ＩＱ多重された複素数信号は、乗算器において移動局識別用スクランブル符号Ｓdpch,nを掛けられた後、送信部４０８へ出力され、アンテナ４０９を介して基地局１０３へ送信される。なお、移動局識別用スクランブル符号Ｓdpch,nは複素数信号である。
なお、第１の変形例では、各チャネルを全て異なる符号で分離しているが、従来規格によるチャネルと本発明のチャネルの時間多重、本発明によるチャネル同士の時間多重など、時間多重と拡散符号を兼用してもよい。
また、従来規格のチャネルと本発明のチャネルとを一部兼用するようにしてもよい。例えば、従来チャネルであるＤＰＤＣＨを用いてデータ送信するようにしてもよい。
【００６３】
以上のように、時分割された各再送サイクルにおける送信要求ＲＥＱ１〜ＲＥＱ３を異なる拡散符号を用いて符号多重することにより、各々の送信要求ＲＥＱ１〜ＲＥＱ３のデータ長を前出の実施の形態３よりも長くすることができる。
また、各送信サイクル間の送信タイミングがずれているので、移動局１０２からの送信処理全体にかかる送信パワーのピークを低減でき、基地局１０３および他の移動局に対する干渉を低減させることが可能となり、通信システムのスループットを向上することができる。
【００６４】
また、各再送サイクルの番号Ｃｈ．１〜Ｃｈ．３に対応した拡散符号によって各送信要求ＲＥＱ１〜ＲＥＱ３が送られる再送サイクルの分割の番号を基地局１０３において確認できるので、別途送信サイクルの識別番号を送る必要がなく、送信ｂｉｔ数を減らすことができる。
なお、この第１の変形例においては、ＵＳＩＣＣＨ1〜ＵＳＩＣＣＨ3に対して同じ振幅係数βTを掛けているが、例えば初送か再送かによって係数を変化させるようにしてもよい。
また、実施の形態２のように、送信要求ＲＥＱの代わりに送信用伝送レート変更要求ＲＲを、スケジューリング指示情報ＡＳＳの変わりに送信用伝送レート許可ＲＧを送信するようにしてもよい。この場合にも同様の効果を得ることができる。
【００６５】
次に、実施の形態３による第２の変形例について説明する。
図１７は、実施の形態３の第２の変形例による、移動局と基地局の間のデータ送受信処理のタイミングチャートである。第２の変形例も並列型再送方式に対応している。
図１３および図１５との違いは、移動局１０２から送信されるデータＤＡＴＡ１〜ＤＡＴＡ３が符号多重により多重され、かつ、ＤＡＴＡ１〜ＤＡＴＡ３のそれぞれの送信時間が長くなっていることである。
一連の送受信動作については、図１４で示す動作と同様である。
【００６６】
図１８に、第２の変形例によるチャネル多重方法を示す。これは、Ｗ−ＣＤＭＡの従来規格（リリース１９９９版）において移動局１０２から基地局１０３へ送信される各種物理チャネルと、本発明による各チャネルとを多重する方法を示している。
なお、この多重処理は、移動局１０２の多重化部４０７において行なわれる。
図１６に示した第１の変形例との違いは、送信要求用チャネルＵＳＩＣＣＨが１つであり、パケットデータ送信用チャネルＥＵＤＣＨについては、ＥＵＤＣＨ1〜ＥＵＤＣＨ3の３つが備えられている点である。
このように、時分割された各再送サイクルにおけるデータＤＡＴＡ１〜ＤＡＴＡ３を別々の拡散符号によって符号多重することにより、ＤＡＴＡ１〜ＤＡＴＡ３それぞれの送信時間を長くすることができる。
また、各送信サイクル間の送信タイミングがずれているので、移動局１０２からの送信処理全体にかかる送信パワーのピークを低減でき、基地局１０３および他の移動局に対する干渉を低減させることが可能となり、通信システムのスループットを向上することができる。
【００６７】
また、各再送サイクルの識別番号Ｃｈ．１〜Ｃｈ．３に対応した拡散符号によってＤＡＴＡ１〜ＤＡＴＡ３が送られる再送サイクルの分割の番号を基地局１０３において確認できるので、別途送信サイクルの識別番号を送る必要がなく、送信ｂｉｔ数を減らすことができる。
なお、この第２の変形例においては、ＥＵＤＣＨ1〜ＥＵＤＣＨ3に対して同じ振幅係数βeuを掛けているが、例えば初送か再送かによって係数を変化させるようにしてもよい。
【００６８】
また、実施の形態２のように、送信要求ＲＥＱの代わりに送信用伝送レート変更要求ＲＲを、スケジューリング指示情報ＡＳＳの変わりに送信用伝送レート許可ＲＧを送信するようにしてもよい。この場合にも同様の効果を得ることができる。
なお、第２の変形例では、各チャネルを全て異なる符号で分離しているが、従来規格によるチャネルと本発明のチャネルの時間多重、本発明によるチャネル同士の時間多重などの時間多重と拡散符号による符号多重を兼用してもよい。また、従来規格のチャネルと本発明のチャネルを一部兼用するようにしてもよい。例えば、従来チャネルであるＤＰＤＣＨを用いてデータを送信するようにしてもよい。
【００６９】
次に、実施の形態３による第３の変形例について説明する。
図１９は、実施の形態３の第３の変形例による、移動局と基地局の間のデータ送受信処理のタイミングチャートである。第３の変形例も並列型再送方式に対応している。
第３の変形例では、時分割数Ｎが偶数（ここでは、Ｎ＝４とする。）になっている。また、一連の送受信動作については、図１４で示す動作と同様である。
図２０に、第３の変形例によるチャネル多重方法を示す。これは、Ｗ−ＣＤＭＡの従来規格（リリース１９９９版）において移動局１０２から基地局１０３へ送信される各種物理チャネルと、本発明による各チャネルとを多重する方法を示している。
なお、この多重処理は、移動局１０２の多重化４０７において行なわれる。
図１６との違いは、送信要求用チャネルＵＳＩＣＣＨが１つであり、パケットデータ送信用チャネルＥＵＤＣＨについては、Ｑ軸に割り当てられたＥＵＤＣＨ1とＩ軸に割り当てられたＥＵＤＣＨ2が備えられている点である。
【００７０】
なお、ＤＡＴＡ１およびＤＡＴＡ３にはＥＵＤＣＨ1が割り当てられ、ＤＡＴＡ２およびＤＡＴＡ４にはＥＵＤＣＨ2が割り当てられる。
このように、時分割された各再送サイクルにおけるデータＤＡＴＡ１〜ＤＡＴＡ４を別々の軸によってＩＱ多重することにより、ＤＡＴＡ１〜ＤＡＴＡ４それぞれの送信時間を長くすることができる。また、各送信サイクル間の送信タイミングがずれているので、移動局１０２からの送信処理全体にかかる送信パワーのピークを低減でき、基地局１０３および他の移動局に対する干渉を低減させることが可能となり、通信システムのスループットを向上することができる。
なお、第３の変形例では、Ｑ軸においてデータＤＡＴＡ１とＤＡＴＡ３を、Ｉ軸にＤＡＴＡ２とＤＡＴＡ４を時間多重しているが、各軸において、さらに別々の拡散符号を用いて符号多重してもよい。
【００７１】
また、送信要求ＲＥＱ１〜ＲＥＱ４についても、ＤＡＴＡ１〜ＤＡＴＡ４と同様にＩ軸とＱ軸に分けて多重してもよい。
また、実施の形態２のように、送信要求ＲＥＱの代わりに送信用伝送レート変更要求ＲＲを、スケジューリング指示情報ＡＳＳの変わりに送信用伝送レート許可ＲＧを送信するようにしてもよい。この場合にも同様の効果を得ることができる。
なお、第３の変形例では、各チャネルを全て異なる符号で分離しているが、従来規格によるチャネルと本発明のチャネルの時間多重、本発明によるチャネル同士の時間多重などの時間多重と拡散符号による符号多重を兼用してもよい。また、従来規格のチャネルと本発明のチャネルを一部兼用するようにしてもよい。例えば、従来チャネルであるＤＰＤＣＨを用いてデータを送信するようにしてもよい。
【００７２】
次に、実施の形態３による第４の変形例について説明する。
図２１は、実施の形態３の第４の変形例による、移動局と基地局の間のデータ送受信処理のタイミングチャートである。第３の変形例も並列型再送方式に対応している。また、一連の送受信動作については、図１４で示す動作と同様である。
第１の変形例との違いは、ＤＳＡＣＣＨ１０７を用いて送信されるスケジューリング指示情報ＡＳＳ１〜ＡＳＳ３と、ＤＡＮＣＣＨ１１０を用いて送信される受信判定結果ＡＣＫ１〜ＡＣＫ３とが、時間多重されていることである。これにより、１つの拡散符号を用いて両チャネルを送信することができる。なお、この多重処理は、基地局１０３の多重化部５０８において行われる。
基地局１０３から移動局１０２への下りリンクにおいては、基地局１０３から移動局１０２への送信を移動局間で分離するために拡散符号が用いられている。各々の移動局１０２は、基地局１０３の通信範囲（セル）内に多数存在するため、拡散符号数によって通信レートが律速される場合がある。
【００７３】
第４の変形例のように、下りチャネルであるＤＳＡＣＣＨ１０７とＤＡＮＣＣＨ１１０とを時間多重し、同じ拡散符号を用いて送信することにより、使用符号数の増加を抑えることができるので、通信容量の低下をおさえることができる。
なお、実施の形態１または実施の形態２においても、第４の変形例のように下りチャネルであるＤＳＡＣＣＨ１０７とＤＡＮＣＣＨ１１０とを時間多重することにより、同様な効果を得ることができる。
なお、実施の形態３では、時分割されたＮ個の送信サイクルの送信タイミング全てを１つの移動局１０２に対して割り当てているが、例えば、特定の複数の移動局１０２の組（組み方は変更可能）に対し、あるサイクルを指定して、それらの複数の移動局１０２の送信データを時間多重することも可能である。
【００７４】
この場合、具体的な割当ての範囲およびその通知方法については、３ＧＰＰ規格仕様としてその範囲が規定され、通信の開始時におけるチャネル等の設定時、または通信途中において、基地局制御装置１０４、基地局１０３、移動局１０２の間の情報のやり取りによって指定されるものとする。例えば、基地局制御装置１０４から基地局１０３および移動局１０２へ通知する場合には、３ＧＰＰ規格において、基地局制御装置１０４と基地局１０３のやり取りはＮＢＡＰ  ｓｉｇｎａｌｌｉｎｇと呼ばれ規格書ＴＳ２５．４３０〜ＴＳ２５．４３５の中で規定される。また、基地局制御装置１０４と移動局１０２のやり取りはＲＲＣ  ｓｉｇｎａｌｌｉｎｇと呼ばれ規格書ＴＳ２５．３３１で規定される。
また、割当ての決定方法としては、例えば、移動局１０２の送信バッファなどの記憶装置の能力値（Ｃａｐａｂｉｌｉｔｙ）を通信の開始時（チャネル等の設定時）に基地局制御装置１０４へ通知し、基地局制御装置１０４が移動局１０２から通知されるその他の能力値（Ｃａｐａｂｉｌｉｔｙ）、例えば最大送信レートと合わせて考慮して決定する方法がある。
【００７５】
他にも、基地局１０３が単独で決定して通知する方法、基地局制御装置１０４が指定した範囲内で基地局１０３が決定する方法、移動局１０３からの要求に基づいて基地局制御装置１０４が指定する方法などが可能である。
また、上述の制御情報のやり取りは、３ＧＰＰ規格リリース１９９９版で規定される各種チャネル、あるいは実施の形態１〜３で示す各種チャネルを用いて行なうことができるが、ここでは特に限定しない。なお、リリース１９９９版では、規格ＴＳ２５．２１１で各種チャネルについて規定されている。
なお、実施の形態３において、移動局１０２からのパケットデータの再送が必要な場合には、実施の形態１と同様に、再送用のスケジューリング指示情報ＡＳＳ（再）が基地局１０３から移動局１０２へ送信される。あるいは、再送信されるパケットデータの変調方式が初回送信時と同じである場合や、次の送信タイミングで必ず再送データが送信されることが決まっている場合などには、再送用のスケジューリング指示情報ＡＳＳ（再）の送信をしないようにしてもよい。この場合、他の移動局１０２や基地局１０３への通信の干渉が低減できるので、基地局１０３からみた総スループットを向上させることができる。また、移動局１０２の消費電力を低減することができるので、移動局１０２の通信時間を長くすることができるという効果がある。
【産業上の利用可能性】
【００７６】
以上のように、この発明に係る移動局は、パケットデータの再送により発生する遅延時間を短縮するのに適している。
また、この発明に係る基地局は、パケットデータの再送により発生する遅延時間を短縮するのに適している。
また、この発明に係る通信システムは、パケットデータの再送により発生する遅延時間を短縮するのに適している。
【図１】
2010193503.tif 000003
【図２】
2010193503.tif 000004
【図３】
2010193503.tif 000005
【図４】
2010193503.tif 000006
【図５】
2010193503.tif 000007
【図６】
2010193503.tif 000008
【図７】
2010193503.tif 000009
【図８】
2010193503.tif 000010
【図９】
2010193503.tif 000011
【図１０】
2010193503.tif 000012
【図１１】
2010193503.tif 000013
【図１２】
2010193503.tif 000014
【図１３】
2010193503.tif 000015
【図１４】
2010193503.tif 000016
【図１５】
2010193503.tif 000017
【図１６】
2010193503.tif 000018
【図１７】
2010193503.tif 000019
【図１８】
2010193503.tif 000020
【図１９】
2010193503.tif 000021
【図２０】
2010193503.tif 000022
【図２１】
2010193503.tif 000023